(57)【要約】  流体内容物のための袋式包装が、包装を開封するためにタブ（８）がそれに沿って分離されることになる開封開始部（７）が設けられる上部隅部（６）を形成する２つの向かい合う柔軟な側壁（２、３）を備える。開封開始部（７）は、２つの向かい合う柔軟な側壁（２、３）のうちの第１の側壁（２）に設けられる第１の引き裂き線（１２）と、２つの向かい合う柔軟な側壁（２、３）のうちの第２の側壁（３）に設けられる第２の引き裂き線（１３）とを備える。第１および第２の引き裂き線（１２、１３）は、第１の側壁（２）の内面の壁区域（１８）がタブ（８）の分離後に露出されるように、少なくとも一部重ならないように延びる。本発明は、ストロー（２０）の挿入を可能にするために袋式包装（１）を適合させる方法にも関する。
2018531848.tif 000002
【特許請求の範囲】
【請求項１】
流体内容物のための袋式包装であって、
包装を開封するためにタブ（８）がそれに沿って分離されることになる開封開始部（７）が設けられる上部隅部（６）を形成する２つの向かい合う柔軟な側壁（２、３）を備え、
前記開封開始部（７）は、
前記２つの向かい合う柔軟な側壁（２、３）のうちの第１の側壁（２）に設けられ、前記第１の側壁（２）に設けられる単一の引き裂き線を構成する第１の引き裂き線（１２）と、
前記２つの向かい合う柔軟な側壁（２、３）のうちの第２の側壁（３）に設けられ、前記第２の側壁（３）に設けられる単一の引き裂き線を構成する第２の引き裂き線（１３）と
を備え、
前記第１および第２の引き裂き線（１２、１３）は、前記第１の側壁（２）の内面の壁区域（１８）が前記タブ（８）の分離後に露出されるように、共通の始点（１４）から少なくとも一部重ならないように延びる、袋式包装。
【請求項２】
前記第１および第２の引き裂き線（１２、１３）は共通の終点（１５）を有する、請求項１に記載の袋式包装。
【請求項３】
前記第１の引き裂き線（１２）は真っ直ぐな延長部を有する、請求項１または２に記載の袋式包装。
【請求項４】
前記第１および第２の引き裂き線（１２、１３）は、関連する前記側壁（２、３）における弱化部として各々形成される、請求項１から３のいずれか一項に記載の袋式包装。
【請求項５】
前記包装の第１および第２の側壁（２、３）は、多層包装材料から作られる、請求項１から４のいずれか一項に記載の袋式包装。
【請求項６】
前記包装の前記上部隅部（６）に制限された流路（１７）を形成する封止部（１６）をさらに備え、ストローが、前記タブ（８）を分離したとき形成される前記包装の開口（９）を通じて、またさらに前記制限された流路（１７）を通じて挿入可能である、請求項１から５のいずれか一項に記載の袋式包装。
【請求項７】
前記第１および第２の側壁（２、３）の一方によって支持されるストロー（２０）をさらに備える、請求項１から６のいずれか一項に記載の袋式包装。
【請求項８】
底壁をさらに備える、請求項１から７のいずれか一項に記載の袋式包装。
【請求項９】
前記袋式包装は直立した袋式のものである、請求項１から８のいずれか一項に記載の袋式包装。
【請求項１０】
ストロー（２０）の挿入を可能にするために袋式包装（１）を適合させる方法であって、
包装（１）の上部隅部（６）を形成する２つの向かい合う柔軟な側壁（２、３）を有する袋式包装（１）を提供することと、
前記包装（１）を開封するためにタブ（８）がそれに沿って分離されることになる開封開始部（７）を前記上部隅部（６）に配置することと
を含み、
前記開封開始部（７）は、前記２つの向かい合う柔軟な側壁（２、３）のうちの第１の側壁（２）に設けられ、前記第１の側壁（２）に設けられる単一の引き裂き線を構成する第１の引き裂き線（１２）と、前記２つの向かい合う柔軟な側壁（２、３）のうちの第２の側壁（３）に設けられ、前記第２の側壁（３）に設けられる単一の引き裂き線を構成する第２の引き裂き線（１３）とを備え、
前記第１および第２の引き裂き線（１２、１３）は、前記第１の側壁（２）の内面の壁区域（１８）が前記タブ（８）の分離後に露出されるように、共通の始点（１４）から少なくとも一部重ならないように延びるように構成され、
ストロー（２０）のストロー端（１９）を前記第１の側壁（２）の前記内面の前記露出された前記壁区域（１８）に置いて、前記ストロー（２０）を前記包装（１）へと押し込みながら露出された前記壁区域（１８）において横方向に押すことで、前記ストロー（２０）が前記タブ（８）の分離後に前記包装（１）へと挿入可能である、方法。
【請求項１１】
前記開封開始部（７）を前記上部隅部（６）に配置するステップが、前記袋式包装（１）へと後に変えられる包装材料のウェブにおいて前記第１および第２の引き裂き線（１２、１３）を形成することで実施される、請求項１０に記載の方法。
【発明の詳細な説明】
【技術分野】
【０００１】
本発明は、流体内容物のための袋式包装に関し、より詳細には、上部隅部に開封開始部が設けられるこのような包装と、ストローの挿入を可能にするためにこのような包装を適合させる関連する方法とに関する。
【背景技術】
【０００２】
現在、液体内容物のための多くの異なる種類の包装が利用可能である。
【０００３】
１つの種類の包装は袋式のものであり、区画を形成するために、柔軟であり連結部に沿って結合される２つの側壁を備え、その区画の容積は、壁同士の相対位置に依存する。袋式包装は、直立した袋式のものであり得、そのため底壁も備え得る。
【０００４】
この種類の包装は、充填する前、平らな封止された状態となり得る。これは、製造に関連して包装の区画を殺菌し、無菌が維持された状態で、乳製品製造所などの充填工場へ包装を充填するために配送することを可能にする。
【０００５】
包装は、１００〜４００ｍｌの範囲内の容積を有するなど、直ちに消費されるのに適した大きさのものであり得る。包装は、内容物の消費のために使用されるストローを備えてもよい。
【０００６】
ストローは、例えば米国特許出願公開第２００３１２８８９９号に開示されているように、包装の側壁に設けられた脆弱な穿孔点を介して包装へと挿入され得る。
【０００７】
米国特許第５９４１６４２号は、組み込み式のストローを備える直立した袋式の包装を開示している。ストローは、包装の上部部分の除去によって使用可能である。
【０００８】
別法として、包装には、包装の上部隅部に開封開始部が設けられてもよい。開封開始部に沿ってタブを除去することによって、ストローが挿入され得る開口が形成される。
【０００９】
２つの開封開始部が上部隅部に設けられている袋式包装が、米国特許第８７４０４５８号に開示されている。２つの開封開始部は離間して配置され、各々の開封開始部は２つの重なり合う引き裂き線を備える。包装の封止された上部部分に切り込みが形成されている。包装を開封するとき、使用者は切り込みから引き裂きを開始し、引き裂きは第１の開放開始部へ、次いで第１の開放開始部に沿って伝播することになる。引き裂きが第１の開封開始部から外れた場合、依然として第２の開放開始部に当たって第２の開放開始部に沿って伝播する可能性を有することになる。複数の開封開始部が設けられた別の袋式包装もＷＯ０３／０９５３２７から知られている。
【００１０】
上記に鑑みて、ストローと共に使用され得る改良された袋式包装が求められている。
【発明の概要】
【００１１】
前述したことに鑑みて、本発明の目的は、ストローと共に使用するための改良された袋式包装を提供することである。
【００１２】
この目的、および、以下の記載から明らかとなる他の目的を達成するために、請求項１に定めた特徴を有する袋式包装と、請求項１０に定義される特徴を有する袋式包装を適合させるための方法とが、本発明により提供される。包装および方法の好ましい実施形態は従属請求項から明らかとなる。
【００１３】
より具体的には、本発明により、包装を開封するためにタブがそれに沿って分離されることになる開封開始部が設けられる上部隅部を形成する２つの向かい合う柔軟な側壁を備える流体内容物のための袋式包装が提供される。開封開始部は、２つの向かい合う柔軟な側壁のうちの第１の側壁に設けられ、第１の側壁に設けられる単一の引き裂き線を構成する第１の引き裂き線と、２つの向かい合う柔軟な側壁のうちの第２の側壁に設けられ、第２の側壁に設けられる単一の引き裂き線を構成する第２の引き裂き線とを備える。第１および第２の引き裂き線は、第１の側壁の内面の壁区域がタブの分離後に露出されるように、共通の始点から少なくとも一部重ならないように延びる。
【００１４】
これによって、ストローと共に使用するための改良された袋式包装が提供される。包装は、包装の開口を形成するために分離され得るタブを備える上角を有する。タブは、開封開始部に沿って引き裂くことによって分離できる。当然ながら、その代わりに、タブは切断することによって分離されてもよい。
【００１５】
しかしながら、引き裂くことによってタブが分離された場合、引き裂きは開封開始部の引き裂き線によって案内されることになる。少なくとも一部重ならないように延びる引き裂き線の結果として、第１の側壁の内面の区域がタブの分離後に露出されることになる。露出された区域は、ストローを挿入するとき、包装の内部への改良されたアクセスを提供する。ストローのストロー端が露出された壁区域に置くことができ、ストローを包装へと押し込みながら露出された壁区域において横方向に押すことで、タブの分離によって形成された包装の開口が開き、それによってストローの挿入を容易にする。
【００１６】
第１の引き裂き線は、第１の側壁に設けられる単一の引き裂き線を構成する。第１の側壁に単一の引き裂き線だけが設けられることを確保することで、引き裂きの間の何らかの追加の引き裂き線との干渉が回避される。
【００１７】
第２の引き裂き線は、第２の側壁に設けられる単一の引き裂き線を構成する。第２の側壁に単一の引き裂き線だけが設けられることを確保することで、線を引き裂く間の何らかの追加の引き裂きとの干渉が回避される。
【００１８】
第１および第２の引き裂き線は共通の始点を有する。これは、第１および第２の引き裂き線が開封開始部の開始の区域に沿って重なるように延びることを意味しており、これはタブの分離の始まりを容易にすることができる。
【００１９】
本発明の実施形態によれば、第１および第２の引き裂き線は共通の終点を有してもよい。これは、第１および第２の引き裂き線が開封開始部の終了の区域に沿って重なるように延び得ることを意味しており、これはタブの分離の終了を容易にすることができる。
【００２０】
本発明の別の実施形態によれば、第１の引き裂き線は真っ直ぐな延長部を有してもよい。これによって、第１の側壁の露出された内面は、ストロー端が露出された表面において横方向に押される間に曲がり得るフラップまたは先端などの突出する部分をまったく含まない。
【００２１】
本発明のさらに別の実施形態によれば、第１および第２の引き裂き線は、関連する側壁における弱化部として各々形成され得る。弱化部は、例えば、型抜き、ロール穿孔、レーザースコーリング（Ｌａｓｅｒ  Ｓｃｏｒｉｎｇ）、穿孔、または切り込み形成によって形成できる。
【００２２】
本発明のさらなる実施形態によれば、包装は、包装の上部隅部に制限された流路を形成する封止部をさらに備えてもよく、ストローが、タブを分離したとき形成される包装の開口を通じて、またさらに制限された流路を通じて挿入可能である。制限された流路は、包装へのストローの漏れのない挿入が可能とされるように、ストローに適合され得る。
【００２３】
本発明のさらなる実施形態によれば、包装は、第１および第２の側壁の一方によって支持されるストローをさらに備えてもよい。
【００２４】
包装の第１および第２の側壁は、多層包装材料から作られてもよい。
【００２５】
袋式包装は底壁をさらに備えてもよい。
【００２６】
袋式包装は直立する袋式のものであってもよい。
【００２７】
本発明の第２の態様によれば、ストローの挿入を可能にするために袋式包装を適合させる方法が提供され、その方法は、それ自体の上部隅部を形成する２つの向かい合う柔軟な側壁を有する袋式包装を提供することと、包装を開封するためにタブがそれに沿って分離されることになる開封開始部を前記上部隅部に配置することとを含む。開封開始部は、２つの向かい合う柔軟な側壁のうちの第１の側壁に設けられ、第１の側壁に設けられる単一の引き裂き線を構成する第１の引き裂き線と、２つの向かい合う柔軟な側壁のうちの第２の側壁に設けられ、第２の側壁に設けられる単一の引き裂き線を構成する第２の引き裂き線とを備える。第１および第２の引き裂き線は、第１の側壁の内面の壁区域がタブの分離後に露出されるように、共通の始点から少なくとも一部重ならないように延びるように構成され、ストローのストロー端を第１の側壁の内面の露出された壁区域に置いて、ストローを包装へと押し込みながら露出された壁区域において横方向に押すことで、ストローが包装へと挿入可能である。
【００２８】
方法の実施形態によれば、開封開始部を前記上部隅部に配置するステップは、袋式包装へと後で変えられる包装材料のウェブにおいて第１および第２の引き裂き線を形成することで実施される。これによって、前述した種類の開封開始部が各々設けられた複数の袋式包装は、効率的に製作できる。
【００２９】
本発明の第２の態様の詳細および利点は、本発明の第１の態様の詳細および利点とおおまかには類似しており、ここでは上記が参照される。
【００３０】
概して、請求項において使用されるすべての用語は、本明細書において明示的に定義されていない場合、その技術分野におけるそれらの通常の意味に従って解釈されるものである。「１つの（ａ／ａｎ）、その（ｔｈｅ）［要素、デバイス、構成要素、手段、ステップなど］」へのすべての言及は、明示的に述べられていない場合、前記要素、前記デバイス、前記構成部品、前記手段、前記ステップなどの少なくとも１つの例を参照しているとして率直に解釈されるものである。本明細書で開示されているあらゆる方法のステップは、明示的に述べられていない場合、開示されている順番通りに実施される必要はない。
【００３１】
本発明の上記および追加の目的、特徴、および利点は、同じ符号が同様の要素について使用されている添付の図面を参照しつつ、本発明の好ましい実施形態の以下の例示の非限定的な詳細な記載を通じてより良く理解されるものである。
【図面の簡単な説明】
【００３２】
【図１】本発明の実施形態による袋式包装の側面図である。
【図２】開封開始部に沿うタブの分離による開封の後の図１に示した袋式包装の側面図である。
【図３ａ】図２に示した包装へのストローの挿入を示す概略的な側面図である。
【図３ｂ】図２に示した包装へのストローの挿入を示す概略的な側面図である。
【図４ａ】本発明の包装の代替の実施形態の開封開始部が設けられた上部隅部を示す概略的な分離した側面図である。
【図４ｂ】本発明の包装の別の実施形態の開封開始部が設けられた上部隅部を示す概略的な分離した側面図である。
【図５ａ】本発明の包装の別の代替の実施形態の開封開始部が設けられた上部隅部を示す概略的な分離した側面図である。
【図５ｂ】本発明の包装の別の代替の実施形態の開封開始部が設けられた上部隅部を示す概略的な分離した側面図である。
【図６ａ】本発明の包装のさらに別の代替の実施形態の開封開始部が設けられた上部隅部を示す概略的な分離した側面図である。
【図６ｂ】本発明の包装のさらに別の代替の実施形態の開封開始部が設けられた上部隅部を示す概略的な分離した側面図である。
【発明を実施するための形態】
【００３３】
ここで、本発明は、本発明の現在好ましいとされる実施形態が示されている添付の図面を参照して、以後においてより完全に説明される。しかしながら、この発明は、多くの異なる形態で具現化でき、ここに述べられた実施形態に限定されるとして解釈されるべきではなく、むしろ、これらの実施形態は完璧で完全であるように提供されており、当業者に本発明の範囲を十分に伝えている。
【００３４】
本発明の実施形態による直立する袋式の袋式包装１が、参照する図１に示されている。
【００３５】
包装１は、充填する機械で充填されて封止されるように適合されたあらかじめ作られた包装として使用され得る。別法として、包装は、充填する機械において全体または一部分が製作されてもよい。
【００３６】
包装１は、牛乳、水、フルーツ飲料、ジュース、またはワインなどの液体食料の形態の製品に向けて特に意図されているが、当然ながら、何らかの他の形態での製品に向けて、または、他の目的に向けて意図されてもよい。
【００３７】
包装１は任意の所望の容積のものであり得る。容積は、内容物が直ちに消費されるのに適するように選択され、そのため１００〜４００ｍｌの範囲内であり得る。
【００３８】
包装１は３つの柔軟な壁を備え、そのうちの２つは第１および第２の側壁２、３を構成し、第３のものは底壁を構成している。第１の側壁および底壁は図では見ることができない。それらの壁は、製品区画５を画定するために、連結部４に沿って結合されている。壁は折り曲げ可能で柔軟な材料から作られ、これは、製品区画５の容積が壁間の相対的な距離に依存することを意味する。したがって、製品区画５の容積は、包装の充填率に直接的に依存する。別の言い方をすれば、包装１は、袋式包装とも称される折り畳み式のものである。
【００３９】
包装１の壁は、好ましくは、溶接によって連結部４において結合される。接着などの他の結合の方法も検討可能である。
【００４０】
示される包装１は、包装を開封するためにタブ８がそれに沿って分離されることになる開封開始部７が設けられた上部隅部６を有する。開口９が、タブ８が包装１から分離されるときに形成され、製品区画５を環境と連通させる。開封開始部７および開口９は、以下により詳細に説明されている。
【００４１】
開封開始部７は、包装１の製造の前、間、または後に形成され得る。例えば、包装材料のウェブに、所定の位置において連続した開封開始部７が設けられてもよく、その包装材料のウェブは、後の段階において、図１に示される種類の包装へと変えられ得る。
【００４２】
概して、選択された包装材料が多層フィルムから構成されることが望ましく、無機物に基づく充填材のコア層とポリオレフィンの結合剤とを備え得る。ガスバリア層または光バリア層など、他の材料および層も可能であることは理解されるであろう。包装材料は、透明な包装材料であってもよく、つまり、材料を作り上げる層の各々が透明である。
【００４３】
包装１の後端において、ガスが充填されて取っ手１１を形成している取っ手区画１０が示されている。取っ手区画１０は、２つの側壁２、３と周囲の連結部４とによって定められている。しかしながら、本発明は、他の種類の取っ手が設けられた包装、または、取っ手のまったく設けられていない包装にも関することは、理解すべきである。
【００４４】
前述したように、取っ手区画１０は、包装１の取っ手１１を形成するために、気体が充填されている。気体は、好ましくは空気を意味するが、当然ながら、他の気体が使用されてもよい。取っ手区画１０は、ふくらまされた状態において掴むのが容易な取っ手１１を形成するような幾何形状および充填率を有する。このような取っ手１１はまた、その幾何形状および気体充填によって、包装１のかなりの剛性を促進し得る。
【００４５】
包装１はタブ８の分離によって開封でき、それによって包装の開口９を形成する。必然的に、タブは切断などによって分離され得るが、好ましくは、タブ８は引き裂きによって分離される。
【００４６】
タブ８の分離は、タブが包装から完全に解放されることで達成できる。別法として、タブ８は分離後に包装に付着されたままであってもよく、それによって使用後の包装材料の完全なリサイクルを容易にすることができる。
【００４７】
前述したように、包装１は、開封開始部７が設けられた上部隅部６を有する。この文脈における開封開始部７は、２つの側壁２、３のそれぞれ１つに配置された２つの引き裂き線を備える構成を意味し、これら引き裂き線は、タブ８が引き裂きによって包装から手作業で分離されるとき、引き裂きの伝播を案内する。
【００４８】
したがって、開封開始部７は、第１の側壁２および第２の側壁３にそれぞれ設けられた第１の引き裂き線１２および第２の引き裂き線１３を備えている。第１の引き裂き線１２は、点線で指示されており、第１の側壁２に設けられた単一の引き裂き線を構成しており、第２の引き裂き線１３は、第２の側壁３に設けられた単一の引き裂き線を構成している。したがって、図示した実施形態による包装１の上部隅部６は、ただ１つの開封開始部７が設けられている。
【００４９】
第１および第２の引き裂き線１２、１３の各々は、例えば、型抜き、ロール穿孔、レーザースコーリング（Ｌａｓｅｒ  Ｓｃｏｒｉｎｇ）、穿孔、または切り込みによって形成された弱化部として、それぞれの側壁２、３において設けられてもよい。引き裂き線は、包装の完全性が維持されるように提供され得る。前述したように、開封開始部７、具体的には、開封開始部７の引き裂き線１２、１３は、包装１の製造の前、間、または後に形成され得る。
【００５０】
図から明らかであるように、引き裂き線１２、１３は一部重ならないように延びている。
【００５１】
図示された実施形態によれば、そして、図１に示される分離した拡大図から明らかなように、第１および第２の引き裂き線１２、１３は共通の始点１４を有し、開封開始部７の第１の区域Ｓ１に沿って重なるように延びている。次に、引き裂き線１２、１３は、タブ８の除去によって形成された開口９の幅Ｗに対応する第２の区域Ｓ２に沿って、重ならないように延びている。最後に、引き裂き線１２、１３は、第３の区域Ｓ３に沿って重なるように延びており、共通の終点１５において途切れている。
【００５２】
図示された実施形態では、始点１４および終点１５は、包装１の開口９のそれぞれの側において連結部４の自由な縁に位置付けられている。始点１４および／または終点１５が、開口９のそれぞれの側において、連結部の自由な縁からある距離に位置付けられ得ることは、理解されるべきである。このような場合において、開始の引き裂きおよび／または最終の引き裂きは、タブ８が包装１から分離されるとき、開封開始部によって案内されないことになる。
【００５３】
図示された実施形態における第１および第２の引き裂き線１２、１３が共通の始点１４を有し、開封開始部７の第１の区域に沿って重なるように延びるため、開封開始部７に沿うタブの開始の分離は、容易とされ得る。
【００５４】
それに対応して、図示された実施形態における第１および第２の引き裂き線１２、１３が共通の終点１５を有し、開封開始部７の第３の区域に沿って重なるように延びるため、開封開始部７に沿うタブの終了の分離は、容易とされ得る。
【００５５】
前述したように、タブ８は、分離後に包装になおも付着されるように配置されてもよい。これは、共通の始点と、別々の終点（図示していない）とを有する開封開始部の引き裂き線１２、１３によって達成されてもよい。最終的な引き裂きは、引き裂きが開口から開口の他方の側における連結部へと伝播するため、増加する抵抗として知覚されることになり、それにより、タブが連結部の小さい一部分によって包装に連結されたままとなるように、さらなる引き裂きを中断または停止することを使用者に示す。同じ効果は、例えば、図６ａ〜図６ｂに示した実施形態に示しているように、包装の自由な縁からある距離における連結部に、２つの引き裂き線のための共通の終点を配置することにより達成されてもよい。
【００５６】
「引き裂き線が重なるように延びる」という表現は、引き裂き線同士が、一方が他方の上になってそれぞれの側壁において延びるという意味に解釈されるべきであり、それに対応して、「引き裂き線が重ならないように延びる」という表現は、図１に示した側面図に見られるように、引き裂き線同士が、一方が他方の上になってそれぞれの側壁において延びていないという意味に解釈されるべきである。
【００５７】
図から明らかなように、第１の引き裂き線１２は真っ直ぐな延長部を有し、一方、第２の引き裂き線１３は曲がった延長部を有する。より具体的には、第２の引き裂き線１３は、第２の区域Ｓ２の第１の部分に沿って第１の引き裂き線１２から分岐し、その後に戻るように曲がって、第２の区域Ｓ２の第２の部分に沿って第１の引き裂き線１２と合流している。
【００５８】
図示された実施形態では、包装１には、タブ８の除去において形成される開口９と、包装１の製品区画５との間に配置される制限された流路１７を形成する封止部１６が、上部隅部６においてさらに設けられている。
【００５９】
前述したように、包装は、開封開始部７に沿ったタブ８の除去または分離によって開封され、それによって開口９を形成する。ここでまた参照が行われる図２では、包装１は開封状態で示されている。タブ８は開封開始部７に沿って包装１から分離されており、したがって開口９が形成されており、製品区画５を環境と連通させている。
【００６０】
タブ８は引き裂きによって分離でき、そのため開封開始部７の引き裂き線１２、１３は引き裂きを案内することになる。開封開始部７の第２の区域Ｓ２に沿って重ならないように延びる第１および第２の引き裂き線１２、１３の結果として、第１の側壁２の内面の壁区域１８が、タブ８の除去の後に露出されることになる。
【００６１】
第１の側壁２の内面の露出された壁区域１８は、包装１の製品区画５へのストローの挿入を容易にするために使用され得、これは、図３ａ〜図３ｂを参照してここで説明されることになる。
【００６２】
図３ａでは、ストロー２０のストロー端１９が、内面の露出された壁区域１８に置かれている。露出された壁区域１８においてストロー２０およびそのストロー端１９を横方向に押すことにより、包装１の開口９は開けられ、ストロー２０は、図３ｂに示しているように、包装１へと押し込まれ得る。したがって、第１の側壁２の内面の露出された壁区域１８は、包装１へのストロー２０の挿入をはるかに容易にすることになる。
【００６３】
前述したように、第１の引き裂き線１２は真っ直ぐな延長部を有する。結果として、露出された壁区域１８は、ストロー端１９が横方向でそれに押されるときに曲がり得るまたは屈曲し得る突出する部分をまったく含まない。むしろ、開口９は、露出された壁区域１８に押すことに応答して、開けられることになる。
【００６４】
図３ｂで見られるように、ストロー２０は、封止部１６によって定められた制限された流路１７を介して、包装１の製品区画５へと挿入される。流路１７の適切な設計によって、ストロー２０は、封止するように制限された流路１７を通じて延びるようにされてもよく、それによって、ストロー２０が包装１に挿入されるときの制限された流路１７を通じて包装１の開口９を介した外への包装１の内容物の漏れが、回避され得る、または、少なくとも実質的に低減され得る。したがって、包装を偶発的に押し潰しても、内容物がストローを通じて押し出されるだけであり、開口を通じて押し出されることはない。
【００６５】
本発明が、図示された実施形態に限定されないことは、理解されるであろう。
【００６６】
例えば、袋式包装は直立した袋式の包装である必要はない。したがって、袋式包装は、２つの向かい合う側壁だけを有する枕形の包装であってもよい。
【００６７】
さらに、本発明の包装の図示した実施形態は、封止部によって形成される制限された流路を備えるが、本発明がこのような制限された流路を有しない包装にも適用可能であることは、理解される。
【００６８】
また、包装にはストローが設けられてもよく、そのストローは、例えば、包装の２つの側壁の一方によって支持されてもよい。使用者が包装の内容物を消費したいとき、ストローは包装から取り外され、次に、タブが分離されると包装へと挿入される。
【００６９】
さらに、開封開始部は他の方法で設計されてもよい。いくつかのこのような設計が図４ａ〜図４ｂおよび図５ａ〜図５ｂに示されている。
【００７０】
図４ａ〜図４ｂでは、第１および第２の引き裂き線１２、１３は、開封開始部７の区域に沿って反対方向で湾曲している。
【００７１】
図５ａ〜図５ｂでは、第１の引き裂き線１２は真っ直ぐな延長部を有する。第２の引き裂き線１３は、ある区域を除いて第１の引き裂き線１２に対して重なるように延びており、その区域に沿って、第２の引き裂き線１３は、タブ８を分離したとき第１の側壁２の内面の壁区域１８を露出することになる半円形の突出部２１を形成している。
【００７２】
したがって、いくつかの改良および変形が、添付の特許請求の範囲によって排他的に定義される本発明の範囲内で検討可能である。
【図１】
2018531848.tif 000003
【図２】
2018531848.tif 000004
【図３ａ】
2018531848.tif 000005
【図３ｂ】
2018531848.tif 000006
【図４ａ】
2018531848.tif 000007
【図４ｂ】
2018531848.tif 000008
【図５ａ】
2018531848.tif 000009
【図５ｂ】
2018531848.tif 000010
【図６ａ】
2018531848.tif 000011
【図６ｂ】
2018531848.tif 000012
【国際調査報告】
2018531848.tif 000013
2018531848.tif 000014
2018531848.tif 000015